(57)【要約】【課題】  雄ネジ体に締結部材を介して締結部材を雌ネジ体で締付けたものが緩むことを防止するものとしての雌ネジ体は実用上及び発明考案はいろいろあるが、それらは緩み止めとして充分なものとは言えず個々の欠点を有している。それらを解決するため、雌ネジ体が一つの部品からなる単体で構造を簡単にして、締結部材を締付けた後は如何なる振動に対しても緩みを生じない雌ネジ体を提供することにある。【解決手段】  本発明を図示に従って説明すると、図１は雌ネジ体１の中部に空間部２を設けて連成した連成変形部４を有した締付部５と締付部５Ａを設けて雌ネジ体１を構成する。【選択図】      図１
2007085415.tif 000002
【特許請求の範囲】
【請求項１】
雌ネジ体の中部に空間部を有して連成変形部を設け、この連成変形部は締付部の締付けによって、該連成変形部が変形するようにしたことを特徴とする雌ネジ体。
【請求項２】
連成変形部と複数個の締付部でなる雌ネジ体の締付部を締付けて、雌ネジ体の少なくても二つの締付部によって緩み止め作用を有しせしめたことを特徴とする雌ネジ体。
【発明の詳細な説明】
【技術分野】
【０００１】
この発明は雄ネジ体と雌ネジ体が噛合っているものが振動や衝撃等を受けても締結状態から緩みを生じないはずのねじの緩み止めが、ひとりでに緩みを生じて雄ネジ体から雌ネジ体が抜け出すことを防止するものである。その使用範囲として軽量化を必要とする宇宙航空ロケットや新幹線などを含む電気、機械、建築、関連等の構造物に使用することのできる雌ネジ体に関するものである。
【背景技術】
【０００２】
従来において、雄ネジと雌ネジが噛合って緩み防止手段が取入れられたものはいろいろあるが、その中でも本発明に近い技術として、下記特許文献１から５などがある。
【０００３】
特許文献１は雌ネジに取付けられた緩み止め防止板が雄ネジに弾性変形しながら付着して締付けられて入ってゆくために、最初から締付に大きなトルクを要しながら締付けるので締付け作業が困難になり、又、充分な緩み防止のストッパーとなる力には至らず緩み側にも容易に回るために強力な緩み防止とはならない、又、構造が複雑になり製造コストが高くなる欠点を有する。
【０００４】
又、特許文献２は締付面と取付部材の間の両者に硬質の部材を食い込ませることによる両者間の移動を規制し回り止めの作用を得るものであるが、食い込む硬質部材を支える部分が柔らかでなければならないので、硬質部材が倒れたりするので両者間に隙間が発生し易く、又、プラスチックやゴム等の軟質座金は経時変化等でボロボロになるのでそれらを含めると緩み止め防止としては欠点を有するものである。
【０００５】
特許文献３と４については雄ネジに取付部材とナット、又は、座金を通した後、その側面をもう一つのナットに突起部を設けた突起部をナット又は座金のネジ穴に押圧することで、突起部が雄ネジに巻き込まれる摩擦力で緩み止め効果を高める狙いを計ったものであるが、このものは突起部の特に外径方向の寸法に対しその中に入るナット又は座金の寸法が適度でないと入らなくなり、取付部材との間に隙間を生じてしまう。
【０００６】
又、ナット又は座金に食い込ませる突起部の外径方向の寸法を大きくするとナット又は座金に食い込みにくくなり、例えば、食い込んでも突起部が厚いと変形しにくくなる。逆に、突起部が薄いと回り防止となる摩擦力が発生しにくくなる欠点を有するものである。
【０００７】
それらの従来の背景技術にはそれぞれの欠点を有し緩み止め防止として充分な効果を発揮する技術とはいえないものであった。
【０００８】
特許文献５は従来の欠点を解決するために本特許願出願人が発明したものであるが、その欠点は雌ネジ体にロック棒を使用することで、構造が複雑になって生産性が悪くなる欠点を有している。
【０００９】
【特許文献１】特開昭５９−１３１０１６
【特許文献２】特開平８−１３５６４２
【特許文献３】特開平１１−３１５８２０
【特許文献４】特開２００３−２９４０２１
【特許文献５】特願２００４−６０８７３
【発明の開示】
【発明が解決しようとする課題】
【００１０】
この発明は雄ネジ体に締結部材を介して締結部材を雌ネジ体で締付けたものが緩むことを防止するものとしての雌ネジ体は実用上及び発明考案はいろいろあるが、それらは緩み止めとして充分なものとは言えず個々の欠点を有している。
【００１１】
例えば、背景技術で説明したように、これまで雌ネジ体の緩み止めは、緩み止めの雌ネジ体が二つ以上の部品の組み合わせとなって構成するために重量を有するようになり、特に航空宇宙向けロケットのようにスピードを有するものは窮極の軽量化を要し振動も受けるものである。
【００１２】
又、スピードの差は異なるが新幹線の車両のように母体が軽量化を必要としながら、更に、振動を受けるものもあり、その他、電気、機械、建築、関連等の構造物においても激しい振動を受けるものは従来において充分な機能を有するものとは言えない欠点があった。
【００１３】
従って、この発明の目的は雄ネジ体に雌ネジ体がはめ合って雌ネジ体が一つの部品からなる単体であって締結部材を締付けた後は前記条件に対しても緩みを生じない雌ネジ体を提供することにある。
【課題を解決するための手段】
【００１４】
前記目的の第一の発明は、雌ネジ体の中部に空間部を有して連成変形部を設け、この連成変形部は締付部の締付けによって、該連成変形部が変形するようにしたことを特徴とする雌ネジ体によって達成される。
【００１５】
前記目的の第二の発明は、連成変形部と複数個の締付部でなる雌ネジ体の締付部を締付けて、雌ネジ体の少なくても二つの締付部によって緩み止め作用を有しせしめたことを特徴とする雌ネジ体によって達成される。
【発明の効果】
【００１６】
この発明の効果は雌ネジ体の中部の一部を削除した空間部を有して、雌ネジ体を一体で連成する一個から複数個の連成変形部と複数個の締付部を設ける。
【００１７】
このように設けた締付部は始めは雄ネジ体に嵌め合って入った後に、第一の締付部の締付けを行い、その後、次の第二の締付部の締付けを行うものである。
【００１８】
この締付けによって、連成変形部を締付けると連成変形部が圧縮されて曲がり変形して締付けされる。
【００１９】
この過程において、連成変形部に設けてある雌ネジのネジ山が雄ネジのネジ山に固着すると同時にロックして、締付部も緩まないようにロックされるので緩みを生じないネジの緩み止めとなるものである。
【００２０】
この時に、締付部の雌ネジにおいては、取付部材に直に接しない締付部は雌ネジと雄ネジが嵌め合って生じる隙間分だけ傾斜して締付けした状態になって、雌ネジ体の締付部においても、一般に現場で使用している二つのナットを用いて締付けた場合と同じような雌ネジが雄ネジに噛合って緩み止めとなる作用も発生して、ネジの緩み止めの作用を増進させるものである。
【００２１】
この発明は雌ネジ体の連成変形部を変形させることによるネジの緩み止め効果を発明の狙いとしたものであるが、この発明は、その他に一般にネジの緩み止めとして現場で使用している、二つのナットを用いて締付ける緩み止め効果をも同時に発揮する作用も有するものである。
【００２２】
連成変形部は一つの雌ネジ体に一つから複数個設けることで、このネジの緩み止めは成り立つものであるが、雌ネジ体の製作を容易、且つ、安価にするために雌ネジ体に連成変形部を雌ネジ体の中部に一つか、又は、対称に二つ設けることで雌ネジ体の一部を削除してネジの強力な緩み止めが得られるものである。
【００２３】
この発明によって、一つの雌ネジ体に他の物体を組合せることのない構造にして、一つの雌ネジ体によって簡単な構造で製造を容易で安価にして、ネジの緩み止めとして確かな効果を発揮できる広範囲の用途に好適な雌ネジ体を得ることができるものである。
【００２４】
この発明は一つの単品の部品によって緩み止めを成立させたことに、この発明のより有意性を有することにもある。
【発明を実施するための最良の形態】
【００２５】
この発明の効果は雌ネジ体の中部の一部を削除した空間部を有して、雌ネジ体を一体で連成する一個から複数個の連成変形部と複数個の締付部を設ける。
【００２６】
このように設けた締付部は始めは雄ネジ体に嵌め合って入った後に、第一の締付部の締付けを行い、その後、次の第二の締付部の締付けを行うものである。
【００２７】
この締付けによって、連成変形部を締付けると連成変形部が圧縮されて曲がり変形して締付けされる。
【００２８】
この過程において、連成変形部に設けてある雌ネジのネジ山が雄ネジのネジ山に固着すると同時にロックして、締付部も緩まないようにロックされるので緩みを生じないネジの緩み止めとなるものである。
【００２９】
この時に、締付部の雌ネジにおいては、取付部材に直に接しない締付部は雌ネジと雄ネジが嵌め合って生じる隙間分だけ傾斜して締付けした状態になって、雌ネジ体の締付部においても、一般に現場で使用している二つのナットを用いて締付けた場合と同じような雌ネジが雄ネジに噛合って緩み止めとなる作用も発生して、ネジの緩み止めの作用を増進させるものである。
【００３０】
この発明は雌ネジ体の連成変形部を変形させることによるネジの緩み止め効果を発明の狙いとしたものであるが、この発明は、その他に一般にネジの緩み止めとして現場で使用している、二つのナットを用いて締付ける緩み止め効果をも同時に発揮する作用も有するものである。
【００３１】
連成変形部は一つの雌ネジ体に一つから複数個設けることで、このネジの緩み止めは成り立つものであるが、雌ネジ体の製作を容易、且つ、安価にするために、雌ネジ体に連成変形部を雌ネジ体の中部に一つか、又は、対称に二つ設けることで雌ネジ体の一部を削除してネジの強力な緩み止めが得られるものである。
【実施例】
【００３２】
本発明を図示に従って説明すると、図１は雌ネジ体１の中部に空間部２を設けて連成した連成変形部４を有した締付部５と締付部５Ａを設けて雌ネジ体１を構成する。
【００３３】
このように構成した雌ネジ体１によって図３の如く取付部材Ｘを締付けると、始めは締付部５を締付けるか、又は、締付部５と締付部５Ａをボックススパナ等で締付けると、締付けが進んだところで締付けは停止する、ことで第一の締付けは完了する。
【００３４】
それらの締付けだけでは雌ネジ体１は長期に渡り激しい振動を受けるところではネジに緩みを生じるので緩み止めが必要になる。
【００３５】
その効果を得るために、次の締付けである取付部材Ｘに直に接してない締付部５Ａを締付けると、連成変形部４が圧縮されながら曲がり変形する同時に、図４の如く連成変形部４の雌ネジのネジ山８が雄ネジのネジ山１０８に固着して回らないようにロックされることによって、雌ネジ体１のネジの強力な緩み止めとなる効果を得ることができるものである。
【００３６】
この締付けされた状態において、図３のように雄ネジ体１０１のネジ山１０８に対し雌ネジ体１の連成変形部４のネジ山８は傾斜されて、雄ネジのネジ山１０８に食い込むように圧接し雄ネジ体１０１に雌ネジ体１のネジ山８は固着してロックされる。ことによって、雌ネジ体１は強力な緩み止めとなるものである。
【００３７】
このように締付けされたものを開放するには締付けと逆の順序で逆の方向に回せば雄ネジ体１０１から雌ネジ体１は開放されて雌ネジ体１を雄ネジ体１０１から取外すことができる。
【００３８】
図５は本発明の応用例その１を示し、雌ネジ体１１に設ける連成変形部４を傾斜して設けたもので、このようにすると雄ネジ体１０１のネジ山に対し雌ネジ体１１の連成変形部４のネジ山は圧縮時に傾斜され易くなって、雄ネジ体１０１のネジ山に食い込み易くなり雄ネジ体１０１のネジ山から雌ネジ体１１のネジ山は抜け出さないように固着してロックされる。ことによって、雌ネジ体１１は強力な緩み止めとなるものである。
【００３９】
図６は本発明の応用例その２を示し、雌ネジ体２１連成変形部が変形する際に何かの調子で万が一出っ張って、締付け工具から雌ネジ体が抜けなくなるのを防ぐために、あらかじめ凹部７を設けるものである。
【００４０】
図７は本発明の応用例その３を示し、雌ネジ体３１に連成変形部４Ａを締付部５と締付部５Ａと締付部５Ｂの間に設けたものであるが、このように締付部を多く設けても初めは雌ネジ体３１は雄ネジに入り込むので、締付部５から次に締付部５Ａ、次に締付部５Ｂのような順に段階的に締付部を締付けると、連成変形部の変形個所が多くなるので、連成変形部４Ａのネジ山が雄ネジのネジ山により強固に固着するのでロック力が増してネジの強力な緩み止めが得られるものである。
【００４１】
これまでの発明で連成変形部の巾や長さや形状は実際の使用する用途によって適当に設定すればよいものである。
【００４２】
雌ネジ体の形状はこれまで図示では六角形で説明してきたが、これは丸型でも四角形でも成り立つものである。
【００４３】
又、雌ネジ体は一方の側面は貫通穴とせず閉鎖したいわゆる袋状のナットにも使用できるものである。
【００４４】
雌ネジ体の材質は連成変形部が曲がって変形する際に弾性変形する材質を使用することが望ましいが、連成変形部は永久変形する材質であっても雄ネジ体から雌ネジ体を取り出すことができて実用上支障は生じないものである。
【００４５】
この発明は雌ネジ体の連成変形部を変形させることによるネジの緩み止め効果を発明の狙いとしたものであるが、この発明は、その他に一般にネジの緩み止めとして現場で使用している、二つのナットを用いて締付ける緩み止め効果をも同時に発揮する作用も有するものである。
【図面の簡単な説明】
【００４６】
【図１】本発明の雌ネジ体の正面図。
【図２】図１の雌ネジ体の右側側面図又は左側側面図。
【図３】図１の雌ネジ体を使用して締結した場合の説明を示す状態図。
【図４】図１の雌ネジ体を使用して締結した場合の説明を示す連成変形部のネジ山と雄ネジ体のネジ山が噛合う状態を示す説明図。
【図５】本発明の雌ネジ体の応用例その１を示す正面図。
【図６】本発明の雌ネジ体の応用例その２を示す側面図。
【図７】本発明の雌ネジ体の応用例その３を示す正面図。
【図８】図７の雌ネジ体の右側側面図又は左側側面図。
【符号の説明】
【００４７】
１．１１．２１．３１：雄ネジ体
２．２Ａ：空間部
４．４Ａ：連成変形部
５．５Ａ．５Ｂ：締付部
７：凹部
８：ネジ山
１０１：雄ネジ体
１０８：ネジ山
【図１】
2007085415.tif 000003
【図２】
2007085415.tif 000004
【図３】
2007085415.tif 000005
【図４】
2007085415.tif 000006
【図５】
2007085415.tif 000007
【図６】
2007085415.tif 000008
【図７】
2007085415.tif 000009
【図８】
2007085415.tif 000010